(57)【要約】      （修正有）【課題】老化や障害により自力での歩行が困難となった犬の自力歩行を補助するための犬用自力歩行補助具を提供する。【解決手段】胴用包体１１、足用包体１２、歩行補助具１３で構成され、歩行補助具１３の弾性体１３１が腹下で略Ｘ字状に交差されるように胴用包体１１と足用包体１２に固定され、歩行補助具１３の弾性体１３１の伸縮により犬の後脚の動作を補助することで自力での起立、歩行を可能にする。【選択図】図１
0003206090.tif 000002
【実用新案登録請求の範囲】
【請求項１】
人の助力を要する老犬又は障害を有する犬に装着される自力歩行補助具であって、前端を開口して形成された前方開口部、両前脚を挿入可能に形成された脚用開口部、および、後端を開口して形成された後方開口部を有する胴用包体と、外周面に足用弾性体固定具を有する足用包体と、弾性体で構成され、前記弾性体の両端に固定具を備えた右足用歩行補助具と、前記右足用歩行補助具と同様の形態に形成された左足用歩行補助具を備え。前記胴用包体の外周面背中側となる部分に胴用弾性体固定具と前記胴用弾性体固定具の位置を自在に変更可能とする弾性体固定具調整部を備え、前記右足用歩行補助具と前記左足用歩行補助具の弾性体が前記胴用弾性体固定具に取り付けられることを特徴とする犬用自力歩行補助具
【請求項２】
前記右足用歩行補助具と前記左足用歩行補助具の前記弾性体が前記胴用包体の腹下部で略Ｘ字状に交差するように取り付けられることを特徴とする請求項１に記載の犬用自力歩行補助具
【請求項３】
前記歩行補助具の前記弾性体の長さを調整することが可能な弾性体調整部を備えた請求項１又は２のいずれかに記載の犬用自力歩行補助具
【請求項４】
前記右足用歩行補助具と前記左足用歩行補助具の前記弾性体が前記弾性体調整部によって略Ｘ字状に交差した状態で一体となっていることを特徴とする請求項２又は３のいずれかに記載の犬用自力歩行補助具
【考案の詳細な説明】
【技術分野】
【０００１】  本考案は、老犬又は障害を有する犬に装着され、人による介助などを必要とせず自力での歩行を補助するための犬用自力歩行補助具に関する。
【背景技術】
【０００２】  犬は高齢になると足腰の筋力が弱ってしまう、特に後脚の筋力低下が進むと後脚を自力で踏ん張ることができず、後脚が左右、後方、またはその両方に広がっていく。後脚の広がりが大きくなると自力での起立、歩行が困難となり、最終的には自力での起立、歩行が行えない状態となってしまう。このような自力で起立、歩行が行えない、または、障害などにより寝たきりの状態になると犬も人間と同じように運動不足による内臓疾患などの病気を発症し、死亡時期が早まってしまう。【０００３】  足腰が弱った犬は、内臓疾患などの病気で弱っていない限り、人間が抱きかかえたり、道具による補助によって歩行することが可能な場合がある。【０００４】  しかしながら、足腰の弱った犬を抱きかかえたり、支えることで起立、歩行させるなどといった動作を、人間のみの力で補助することは容易ではない。さらに犬種によっては体重が２０ｋｇ以上もあるような大型犬もいるため、上記のような起立、歩行などの動作補助を人間一人の力で行うことは困難である。【０００５】  また、車輪やフレームを利用した犬用車椅子や取っ手が付いた胴輪（例えばハーネス）などの補助具を装着して起立、歩行などの動作を補助する方法がある。しかし、多くは犬が自力で後脚を動作させて起立、歩行しているわけではないため十分な運動とはならず、運動不足の解消による病気の予防などとしては不十分であった。また、これらの補助具は取り付け、取り外し作業が煩雑で犬の生活習慣や体調などによっては、休息、就寝などの動作に応じて取り付け、取り外し作業をその都度行う必要があり、人間、犬双方にとっても負担が大きいという問題もあった。
【先行技術文献】
【特許文献】
【特許文献１】特開２００７−３１２６２５号公報
【特許文献２】特開２００７−１５９４３７号公報
【考案の概要】
【考案が解決しようとする課題】
【０００６】  足腰の弱った犬が起立、歩行を行えなくなる主な原因としては、筋力の低下によって後脚を自力で踏ん張ることができず、後脚が左右に広がる、後ろに下がる、またはその両方が起こるためである。そのため、起立、歩行などの動作を行うためには、後脚の広がりを防ぎ、後脚の動作の補助を行うことが必要となる。特許文献１に示した犬用車椅子などは、後脚が本来行う動作、機能を補助具により代用することで歩行などの動作を可能としている。しかし、本来解決しなければならない後脚の筋力低下を防ぐ、運動不足を解消するという点においては十分な効果を得られているとはいえなかった。また、歩行、起立以外の例えば就寝など、後脚の動作の補助を必要としない場合、犬の負担などを考慮するとその都度に補助具の取り外し作業を行う必要がある。しかし、これらの補助具を取り付け、取り外しする作業は煩雑で犬、人間共に負担となっている。【０００７】  また、特許文献２に示した取っ手のついた胴輪（例えばハーネス）などを用いて犬の起立、お座りなどの様々な姿勢や動作の介助が行われている。しかし、犬の筋力や体調によっては自力での歩行、姿勢の維持が行えない場合には常に取っ手を持つなど動作の都度、人間による介助を行う必要があるため、犬の健康を維持するために必要な運動量を確保するには、人間の負担が大きいものとなっていた。【０００８】  本考案は係る実情に鑑みてなされたもので、その目的は、老犬や障害を有する犬に装着し、犬の自力での起立や歩行を補助するための犬用自力歩行補助具を提供することにある。
【課題を解決するための手段】
【０００９】  上記課題を解決するために、本考案の犬用自力歩行補助具は、自力での起立、歩行などが困難な老犬及び障害を有する犬に装着される補助具であって、前端を開口して形成された前方開口部、両前脚を挿入可能に形成された脚用開口部、および後端を開口して形成された後方開口部を有し、外周面背中部分に胴用弾性体固定具と弾性体固定具調整部を有する胴用包体と、外周面に足用弾性体固定具を有する足用包体と、弾性体で構成され、前記弾性体の両端に固定具を備えた右足用歩行補助具と、前記右足用歩行補助具と同様に形成された左足用歩行補助具を備え、前記右足用歩行補助具と前記左足用歩行補助具の前記弾性体が腹下部周辺で略Ｘ字状に交差するように取り付けられることを特徴とする。【００１０】  このような本考案によると、右足用歩行補助具と左足用歩行補助具の弾性体の張力により、左右の後脚が腹側方向に引っ張られることで犬が自力で後脚を踏ん張ることが可能となり、後脚が左右、後方及びその両方へ広がることを防止できる。そして、弾性体の張力により、歩行や起立などに必要な後脚の動作を補助することができる。【００１１】  また、歩行補助具について弾性体の長さを調整する弾性体調整部と胴用包体外周面に形成された弾性体固定具調整部により、胴用弾性体固定具を移動、位置を変更することで固定された歩行補助具の弾性体の長さや張力を自在に変更、調整することが可能である。これにより犬種やその日の体調などに応じて簡易に歩行補助具を最適な状態に調整、変更することが可能である。【００１２】  そして、歩行補助具の弾性体両端に設けられたフック状の固定具により簡易に胴用包体と足用包体の弾性体固定具から歩行補助具を取り付け、取り外しすることが可能であり、補助具を必要としない休息、就寝時などには簡易に取り外しでき、必要に応じて簡易に取り付けることができる。
【考案の効果】
【００１３】  本考案の犬用自力歩行補助具は、老犬や障害を有する犬に装着することで自力での起立、歩行を行うことを可能とし、筋力低下や運動不足による内臓疾患などの病気を予防し、人間による介助の負担を軽減するといった効果を奏する。【００１４】  また、歩行補助具の弾性体による負荷について、胴用包体の背中部に設けられた弾性体固定具が引っ張られることで胴用包体が背中部、後方、またはその両方の方向に引っ張られる。これにより、胴用包体の腹側の前胸部周辺に負荷が掛かるため背中などの自力歩行に影響がでる部位に余分な負担をかけずに自力での歩行を行うことが可能となる。
【図面の簡単な説明】
【００１５】
【図１】（Ａ）は、本考案の犬用歩行補助具を示す概略図である  （Ｂ）は、本考案の犬用歩行補助具を後方からみた概略図である
【図２】（Ａ）〜（Ｂ）は、本考案の胴用包体を示す図である
【図３】（Ａ）〜（Ｃ）、本考案の弾性体固定具調整部を示す図である。
【図４】（Ａ）〜（Ｂ）は、本考案の足用包体示す図である
【図５】（Ａ）〜（Ｂ）は、本考案の歩行補助具を示す図である。
【考案を実施するための形態】
【００１６】  以下、本考案の実施の形態について、図面を参照して説明する。
【００１７】  図１は、本実施の形態における犬用自力歩行補助具を装着した状態を示す概略図である。
【００１８】  本実施の形態の犬用自力歩行補助具１は、前方開口部１１１、脚用開口部１１２、および、後方開口部１１３を有し、背中側外周面に弾性体固定具調整部１１５となるスライダーと、スライダー上にリング状に形成された胴用弾性体固定具１１４とを有する胴用包体１１と、足用包体１２と、左右の足用包体１２の外周面に形成されたリング状の足用弾性体固定具１２２、左右の足用弾性体固定具１２２に装着される２本の歩行補助具１３とを備えている。
【００１９】  図１Ｂに示すよう本実施形態では２本の上記歩行補助具１３の弾性体１３１が腹下部で略Ｘ字状に交差するように装着される。
【００２０】  図２Ａ、Ｂに示すように上記胴用包体１１は、前方開口部１１１、脚用開口部１１２、および、後方開口部１１３を有している。胴用包体１１の外周面背中側には胴用弾性体固定具１１４と前記胴用弾性体固定具１１４の位置を自在に変更可能とする弾性体固定具調整部１１５を有する。前記弾性体固定具調整部１１５にはスライダーが形成されている。胴用包体１１は両側方に展開可能にされるとともに、その周長が調整可能に形成されている。胴用包体１１は係合部で係合され、係合手段としては胴用包体１１の腹側となる外周面右端部に設けられたマジックテープ雌面１１９Ｂ、胴用包体１１の内周面左端部に設けられたマジックテープ雄面１１９Ａ及び前記マジックテープ雄面１１９Ａを備えた取っ手部１１８を備え。取っ手部１１８を周長に応じてマジックテープ雌面１１９Ｂに重ね合わせる位置を調整し、係合する。これにより胴用包体１１の周長を犬種や体調に応じて最適な状態に調整して装着される。
【００２１】  胴用包体１１に使用される素材は、特に限定されるものではないが柔軟性と適度な伸縮性、通気性を備えた布材やベルト、合成樹脂、またはこれらの素材を組み合わせたもので形成されても良い。特に胴用包体１１の内周面は、ダブルラッセルなどのメッシュ加工が施された素材を使用することで通気性がよく、犬の体が接触する部分を汗などにより蒸れにくくすると同時に柔軟性と適度な伸縮性により装着時の犬への負担を軽減することができ好適である。
【００２２】  図３Ａ、Ｂ、Ｃに示すように胴用弾性体固定具１１４はロック歯１１７が弾性体調整部１１５のスライダー内に設けられた溝孔部に嵌合いされることでスライダー上に固定されている。弾性体固定具調整部１１５のスライダー内部には一定間隔でロック歯１１７が嵌合い可能な溝孔部が形成されている。図３Ｃに示すように胴用弾性体固定具１１４に設けられたボタン１１６を押下することで板バネ部（不図示）によりロック歯１１７が胴用弾性体固定具１１４内部に引きこまれる。これにより弾性体固定具調整部１１５のスライダー内部の溝孔部からロック歯１１７の嵌合いが外れ、胴用弾性体固定具１１４は弾性体固定具調整部１１５のスライダー上を自由に移動することが可能となる。ボタン１１６の押下を終了することで板バネによりロック歯１１７が基本位置に復帰する。これにより弾性体固定具調整部１１５のスライダー内部の溝孔部にロック歯１１７が嵌合いされることで胴用弾性体固定具１１４の位置が固定される。これにより胴用弾性体固定具１１４をスライダー上の所望の位置に移動させ、固定することが可能となる。
【００２３】  図４Ａ，Ｂに示すように足用包体１２は両側方に展開可能とされると共にその外周面にはリング状に形成された足用弾性体固定具１２２が取り付けられている。図４Ａに示すように足用包体１２は、犬の足首周辺に巻き付けられ、係合部１２１で係合され装着される。図４Ｂに示すように脚用包体１２の右端外周面にはマジックテープ雌部１２３Ａが形成され、左端内周面にはマジックテープ雄部１２３Ｂが形成されている。これらマジックテープの係合、分離により犬種や体調に応じて足用包体１２の周長や位置を調整し、最適な状態で足首に巻き付け、係合することが可能となる。
【００２４】  足用包体１２に使用される素材は、特に限定されるものではないが柔軟性と適度な伸縮性、通気性を備えた布材やベルト、合成樹脂、またはこれらの素材を組み合わせたもので形成されても良い。特に足用包体１２の内周面はダブルラッセルなどのメッシュ加工が施されることで通気性がよく犬の体が接触する部分を汗などにより蒸れにくくすると同時に柔軟性と適度な伸縮性により犬への負担を軽減することができ好適である。
【００２５】  足用包体１２は左右両後脚の足首部に装着して使用されるが、装着される足用包体１２は、左右共に同じ構成のものを使用するのが望ましい。しかし、犬種や体調などに応じて素材や周長などが異なった構成の足用包体１２を組み合わせて使用しても良い。
【００２６】  図５Ａ、Ｂに示すように歩行補助具１３は紐状に形成されたゴム紐などの弾性体１３１と、弾性体１３１の長さを調整するための弾性体調整部１３４、及び弾性体１３１の両端にはフック状の弾性体固定具１３２が形成されている。
【００２７】  弾性体１３１と弾性体固定具１３２は、図５Ｂに示すように弾性体係合部１３３で係合されている。弾性体係合部１３３はネジによる嵌合いなど弾性体１３１と弾性体固定具１３２が強固に係合でき、簡易に取り付け、取り外し可能な構成となっているのが好ましい。
【００２８】  弾性体調整部１３４は、コードストッパーなどが使用される。弾性体調整部１３４は、弾性体１３１の長さを適切に調整可能なものが使用されていればよい。
【００２９】  次に図１Ａ、Ｂを使用して犬用自立歩行補助具１の装着方法を説明する。図２Ａに示される胴用包体１１を両側方に展開し、脚用開口部１１２に両前脚を通し、犬の胴体に巻きつける。この際に取っ手部１１８を用いてマジックテープ雌面１１９Ｂに対するマジックテープ雄面１１９Ａの取付位置を調整することで胴用包体１１の周長を調整し、係合する。
【００３０】  次に図４Ａに示すように足用包体１２は、犬の両後脚の足首部に巻き付けて装着される。両側方に展開された脚用包体１２を犬の後脚足首周辺にあてがい、巻き付ける。この際に係合部１２１周辺に形成されたマジックテープ雌部１２３Ａと、マジックテープ雄部１２３Ｂを用いてマジックテープの重ね合わせ位置を調整することで係合位置を調整し最適な周長で係合することができる。足用包体１２は、両後脚の足首部に同様の方法で巻き付けられる。この際、脚用包体１２の外周面に形成された足用弾性体固定具１２２が尻側方向以外の位置になるよう装着されるのが好ましい。
【００３１】  次に歩行補助具１３を右足部に装着された足用包体１２の足用弾性体固定具１２２に固定する。歩行補助具１３の弾性体１３１右端部に形成されたフック状の弾性体固定具１３２のフック部を展開（不図示）させ、足用包体１２の足用弾性体固定具１２２に装着し、固定する。同様に左足部に装着された足用包体１２の足用弾性体固定具１２２に歩行補助具１３の弾性体１３１の右端部に形成されたフック状の弾性体固定具１３２を展開（不図示）させて装着、固定する。
【００３２】  次に右足部に装着された足用包体１２の足用弾性体固定具１２２に取り付けられた歩行補助具１３の左端部に形成された弾性体固定具１３２を腹下部に通し、犬の左腹部に沿うように弾性体１３１を引っ張り、胴用包体１１の外周面背中部に形成された胴用弾性体固定具１１４に弾性体固定具１３２のフック部を展開（不図示）させて装着し、固定する。
【００３３】  次に左足部に装着された足用包体１２の足用弾性体固定具１２２に取り付けた歩行補助具１３の左端部に形成された弾性体固定具１３２を胴用弾性体固定具１１４に固定された右足用歩行補助具１３の弾性体１３１と左足用歩行補助具１３の弾性体１３１が胴用包体１１の腹下部で略Ｘ字状に交差するように配置する。そして、右腹部に沿うように弾性体１３１を引っ張り、胴用包体１１の外周面背中部に形成された胴用弾性体固定具１１４に弾性体固定具１３２のフック部を展開（不図示）させて装着し、固定する。
【００３４】  胴用包体１１の胴用弾性体固定具１１４に固定された歩行補助具１３の弾性体１３１を弾性体調整部１３４によって最適な長さになるように調整する。そして、胴用包体１１の弾性体固定具調整部１１５のスライダーを用いて、弾性体１３１が犬の起立、歩行などの動作を補助するのに最適な張力、長さになるよう胴用弾性体固定具１１４の位置を調整し、固定する。
【００３５】  ２つの歩行補助具１３は、弾性体１３１が腹下部で略Ｘ字状に交差した状態になるように固定される。そして、胴用包体１１の胴用弾性体固定具１１４と足用包体１２の足用弾性体固定具１２２に固定された歩行補助具１３の弾性体１３１を弾性体調整部１３４により最適な長さに調整される。そして、弾性体調整部１１５のスライダーを用いて胴用弾性体固定具１１４の位置を変更し、弾性体１３１が最適な状態になるよう調整する。これにより歩行補助具１３の弾性体１３１により、犬の両後脚が腹側方向に引っぱられる。右後脚は足首部に装着し、固定された足用包体１２の足用弾性体固定具１２２を通じて右脚用歩行補助具１３の弾性体１３１により腹側左方向に引っ張られる。同様に左後脚は足首部に装着し、固定された足用包体１２の足用弾性体固定具１２２を通じて左脚用歩行補助具１３の弾性体１３１により腹側右方向に引っ張られる。これにより弾性体１３１の張力によって筋力が低下した犬の後脚が左右、後方に広がることを防ぐことができる。
【００３６】  そして、筋力低下により自力で前方に踏み出す、踏ん張る、またはその両方ができなかった両後脚が足用包体１２に装着された歩行補助具１３の弾性体１３１の張力によって腹側方向に引っ張られることで前方に踏み出す、踏ん張るという動作が補助されることで自力での歩行が可能となる。
【００３７】  同様に伏せなどの姿勢から起立を行う際にも歩行補助具１３の弾性体１３１の張力により後脚が左右、後方に広がることを防ぎ、老化や障害などで低下した筋力でも弾性体１３１の張力による補助によって両後脚を踏ん張ることが可能となり、自力で立ち上がることが可能となる。
【００３８】  また、歩行補助具１３の弾性体１３１が犬の歩行や起立などの動作によって伸縮することで胴用包体１１は、胴用弾性体固定具１１４を通して胴用包体１１全体が背中側、後方またはその両方の方向に引っ張られる。そしてその負荷は、胴用包体１１の前胸部周辺、腹部周辺、またはその双方の周囲に分散してかかる。これにより、腹部や背中などの自力歩行に影響する部位に余分な負荷を掛けることなく、犬の自力での起立、歩行などの動作を補助することができる。
【００３９】  そして、犬が就寝や休息などを行う際には、歩行補助具１３を胴用包体１１の胴用弾性体固定具１１４と足用包体１２の足用弾性体固定具１２２から歩行補助具１３の両端に設けられた弾性体固定具１３２のフック部を展開（不図示）して取り外す、両後足に装着された足用包体１２の係合部１２１のマジックテープ１２３を分離し足用包体１２を両側方に展開し取り外す、胴用包体１１の係合を取っ手部１１８を利用してマジックテープ１１９を雄雌部に分離し、胴用包体１１を両側方に展開し取り外すという作業だけで簡易に犬用歩行補助具１を取り外すことが可能で、犬に与える負担を抑えることができる。
【００４０】  このように犬用歩行補助具１は、簡易に取り付け、取り外しを行うことが可能で、老化や障害によって筋力が低下した犬の自力での起立、歩行などの動作を補助することができる。また、犬用歩行補助具１は、犬自身の筋力を利用した起立、歩行などの動作を補助することとなる。そのため、運動不足が解消され、筋力低下や内臓疾患などの病気を防ぐことができる。
【００４１】  以上、本考案の実施形態について説明したが、本考案は、上記実施形態に限定されることなく、実用新案請求の範囲に記載された技術的範囲において変形が可能である。上記実施形態では、胴用包体１１の係合手段はマジックテープによるものであったが、これに限定されない。例えば、ファスナーやボタンピン、ベルト、紐などを使用して係合しても良く、複数の係合部、係合手段、またはそれらを組み合わせたものでもよい。このように両側方に展開された胴用包体１１を適切に係合でき、周長を調整可能な係合手段を有すればよい。また、胴用包体１１に使用される素材についても記載された技術的範囲に置いて変形が可能である。例えば、メッシュ加工を施した布材など、適度な伸縮性、通気性を持つようなものが使用されていれば良く、複数の素材を組み合わせて形成されても良い。
【００４２】  上記実施形態では、胴用包体１１の係合部が腹下部に形成されたものを記載したがこれ以外の構成であってもよい。例えば、係合部が犬の背中部や胴体側面部などの位置に設けられてもよい。また、ファスナーやベルト、ボタンピン、紐などの係合手段が胴用包体１１外周部に複数設けられ、犬の胴体部の所望の位置で係合することが可能な構成であってもよい。また、複数の係合部、係合手段、またはそれらを組み合わせたものでもよい。胴用包袋１１の係合部については、胴用包袋１１を胴体に簡易に装着、固定でき、簡易に係合、取り外しができる構成であればよい。
【００４３】  上記実施形態では、胴用包体１１は両側方に展開可能な構成であるものを記載したがこれ以外の構成であってもよい。例えば、前方開口部１１１、脚用開口部１１２及び後方開口部１１３の３つの開口部を備え、伸縮性、通気性を有する素材で一体に形成された略筒状構造やベルトなどを組み合わせて形成されたハーネス状のものでもよい。また、上記実施形態では脚用開口部１１２は、左右両前脚が挿入可能な二つの開口部が形成されたものを記載したが、両前脚が挿入可能な一体となった開口部、例えば前脚部挿入範囲の周辺が略楕円形状に形成された開口部を持つような構成であってもよい。胴用包体１１の構造は、簡易に犬の胴体に着脱が可能で周長が調整可能に形成されていればよい。
【００４４】  上記実施形態では、胴用包体１１の弾性体調整部１１５は、スライダーによる位置調整手段が記載されていたが異なる位置調整手段を用いても良い。例えば、マジックテープやボタンピン、ネジの嵌合いなどの方法により胴用弾性体固定具１１４を直接最適な位置に移動させ、取り付けるなどの方法であってもよい。また、胴用包体１１の外周面複数個所に胴用弾性体固定具１１４が設けられても良い。胴用弾性体固定具１１４は歩行補助具１３を取り付けることが可能な構成で、簡易に歩行補助具１３の取り付け位置、長さを調整可能で、弾性体１３１を適切な状態にすることが可能であればよい。
【００４５】  また、上記胴用包体１１の弾性体固定具調整部１１５は、取り外し可能で取り付け位置を自在に変更可能な構成としてもよい。例えば、胴用包体１１外周面にマジックテープ雌部が複数箇所形成され、スライダーなどを備える弾性体固定具調整部１１５にはマジックテープ雄部が形成され、胴用包体１１外周面に形成された前記マジックテープ雌部と係合し固定される。弾性体固定具調整部１１５をマジックテープ雌部から分離させ、胴用包体１１外周部の異なる位置に形成されたマジックテープ雌部に係合させることで弾性体固定具調整部１１５の取り付け位置を自在に変更することができる。このように弾性体固定具調整部１１５の取付位置を変更可能とし、所望の位置への取り付け後に胴用弾性体固定具１１４の位置を調整可能な構成であってもよい。
【００４６】  上記実施形態では、足用包体１２の係合手段としてマジックテープが利用されていたが異なる係合手段を用いても良い。例えば、ファスナーやボタンピン及びベルトなどの両側方に展開された足用包体１２を適切に係合し、周長を自在に調整できる係合手段であればよい。また、足用包体１２は、両側方に展開可能な構成が記載されていたが伸縮性を有する素材で一体に形成された略筒状であってもよい。足用包体１２は犬の足首部に適切に装着でき、周長が調整可能な構成あればよい。
【００４７】  上記実施形態では、歩行補助具１３は左右の後脚用に別々の２つの歩行補助具１３を取り付けたものが利用されていたが左右の歩行補助具１３が一体となったものを用いてもよい。例えば、弾性体調整部１３４の内部で２本の弾性体１３１が略Ｘ字状に交差した状態で弾性体調整部１３４により一体となったものでもよい。また、歩行補助具１３の弾性体１３１が腹下で略Ｘ字状に交差される数は複数箇所、複数回で行われても良い。また、弾性体１３１が略Ｘ字状に交差されずに配置されても良い。例えば右足用歩行補助具の弾性体１３１が犬の胴体右側面部に沿うように配置され、左足用歩行補助具の弾性体１３１が犬の胴体左側面部に沿うように配置され、胴用弾性体固定具１１４に固定されてもよい。歩行補助具１３の弾性体１３１が犬の後脚を左右、後方に広がるのを防ぎ、起立や歩行などの動作を補助することが可能な構成であればよい。
【００４８】  上記実施形態では、歩行補助具１３の弾性体１３１にはゴム紐などの使用が記載されていたがそれに限定されない。例えば、バネなどの金属製のものであってもよい。また、弾性体１３１は複数の素材を組み合わせて構成されても良い。弾性体１３１は、適度な張力を持ち弾性体調整部１３４を利用して長さを変更、調整することが可能に形成されていればよく、技術的範囲において変形が可能である。
【００４９】  また、上記実施形態では、歩行補助具１３の弾性体１３１はゴム紐など単独の素材のみで形成されたものが記載されていたがゴムやバネなどの複数種類の弾性体やベルトなど、複数の弾性体や素材を組み合わせて形成された物を使用しても良い。例えば弾性体１３１は、ベルトにコキ鐶（例えばベルトスライダー）などを設けた弾性体調整部１３４を持ち、ベルトの両端にゴム紐やバネなどの弾性体を係合して構成されたものであってもよい。弾性体１３１は適度な張力を持ち、弾性体調整部１３４によって長さの変更、調整が可能な構成であればよい。
【００５０】  上記実施例では胴用包体１１の胴用弾性体固定具１１４と足用包体１２の弾性体固定具１２２はリング状に形成されていたが異なった形状、構成であってもよい。例えば、フック状のものやバネクランプなどで構成されてもよい。胴用弾性体固定具１１４と足用弾性体固定具１２２は、歩行補助具１３の弾性体固定具１３２を装着し固定できる構成となっていればよい。また、胴用弾性体固定具１１４と足用弾性体固定具１２２は同様の形状、構成のものが使用されても良く、異なった形状、構成のものを組み合わせて使用しても良い。
【００５１】  上記実施例では歩行補助具１３の弾性体固定具１３２はフック状に形成された固定具が使用されていたが異なった形状、構成であってもよい。例えばバネクランプやリング状に形成されたものであってもよい。弾性体固定具１３２は胴用包体１１の胴用弾性体固定具１１４と足用包体１２の足用弾性体固定具１２２に適切に歩行補助具１３の弾性体固定具１３２の固定が可能な構成となっていればよい。
【００５２】  上記実施形態では歩行補助具１３の弾性体１３１と弾性体固定具１３２は、ネジ孔への嵌合いによる係合方法が記載されていたがそれ以外の方法であってもよい。例えば、ピンの差込などによる係合方法であってもよい。弾性体１３１と弾性体固定具１３２が簡易に取り外しが可能であり、弾性体１３１の張力により外れることが無いよう強固に係合される構成になっていればよい。
【符号の説明】
【００５３】１  犬用自力歩行補助具
１１  胴用包体
１１１  前方開口部
１１２  脚用開口部
１１３  後方開口部
１１４  胴用弾性体固定具
１１５  弾性体固定具調整部
１１６  ボタン
１１７  ロック歯
１１８  取っ手部
１１９  マジックテープ
１２    足用包体
１２１  係合部
１２２  足用弾性体固定具
１２３  マジックテープ
１３    歩行補助具
１３１  弾性体
１３２  弾性体固定具
１３３  弾性体係合部
１３４  弾性体調整部
【図１】
0003206090.tif 000003
【図２】
0003206090.tif 000004
【図３】
0003206090.tif 000005
【図４】
0003206090.tif 000006
【図５】
0003206090.tif 000007